(57)【要約】【課題】集塵容器にフィルタ組立体を正しく取り付けた状態で、集塵容器を掃除機本体に取り付けることができる掃除機を提供する。【解決手段】掃除機本体と、この掃除機本体に着脱可能に取り付けられる集塵容器３と、この集塵容器３にバヨネット式に着脱されるフィルタ組立体４とを有する。集塵容器３の開口縁部３Ａに第一切欠部５１を設け、フィルタ組立体４の後外筒部４１Ｓに、第一切欠部５１に対応する第二切欠部５２を設けると共に、掃除機本体に、第一切欠部５１に対応する凸部を設ける。集塵容器３にフィルタ組立体４を正しく取り付けると、第一切欠部５１と第二切欠部５２が位置合わせされ、逆に、第一切欠部５１と第二切欠部５２がずれていると、凸部８１に第一切欠部５１が係合せず、集塵容器３を掃除機本体２に組み込むことができず、集塵容器３とフィルタ組立体４が正しく結合されていないことが分かる。【選択図】図１
2014068749.tif 000002
【特許請求の範囲】
【請求項１】
掃除機本体と、この掃除機本体に対し着脱可能に取り付けられる集塵容器と、この集塵容器に対しバヨネット式に着脱されるフィルタ組立体とを有する電気掃除機において、
前記集塵容器の開口縁部に第一切欠部を設け、前記フィルタ組立体の取付部の外周縁部に環状壁部を設け、この環状壁部に、前記第一切欠部に対応する第二切欠部を設けると共に、前記掃除機本体に、前記第一切欠部に対応する凸部を設けたことを特徴とする電気掃除機。
【請求項２】
前記第二切欠部の幅寸法と前記凸部の幅寸法とをほぼ等しく形成したことを特徴とする請求項１記載の電気掃除機。
【請求項３】
前記凸部の幅方向端部に、前記第二切欠部の案内部を設けたことを特徴とする請求項１又は２記載の電気掃除機。
【発明の詳細な説明】
【技術分野】
【０００１】
本発明は、集塵容器に対しフィルタ組立体を着脱可能とした電気掃除機に関するものである。
【背景技術】
【０００２】
従来、この種の電気掃除機としては、吸気ユニットを収容した本体ハウジングの前方に、吸込口を備えて内部に集塵室を形成する前側ハウジングを着脱可能に装着し、前記本体ハウジングに、前記吸気ユニットへの吸気口を塞いで前記前側ハウジング内へ突出するフィルタユニットを備えたクリーナが知られている（例えば特許文献１）。
【０００３】
また、前側ハウジングにフィルタユニットを着脱可能に装着し、前側ハウジングと共にフィルタユニットを着脱可能に構成した電気掃除機もある。このような電気掃除機は、前側ハウジングを外して内部の塵埃を捨てることができると共に、フィルタに付着した塵埃を捨てることができる。
【先行技術文献】
【特許文献】
【０００４】
【特許文献１】特開２０１０−２５９６６６号公報
【発明の概要】
【発明が解決しようとする課題】
【０００５】
上記のクリーナでは、前側ハウジング内の塵埃とフィルタユニットに付着した塵埃とを同時に捨てることができるという利便性を備えるが、前側ハウジングにフィルタを正しく装着しないと、気流漏れが発生して吸引された塵埃が吸気ユニットに達することで、塵埃を再び外気に撒き散らしたり、吸気ユニットの効率を低下させたりする虞がある。
【０００６】
本発明は以上の問題点を解決し、集塵容器にフィルタ組立体を正しく取り付けた状態で、集塵容器を掃除機本体に取り付けることができる掃除機を提供することを目的とする。
【課題を解決するための手段】
【０００７】
本発明の請求項１に記載の電気掃除機は、掃除機本体と、この掃除機本体に対し着脱可能に取り付けられる集塵容器と、この集塵容器に対しバヨネット式に着脱されるフィルタ組立体とを有する電気掃除機において、前記集塵容器の開口縁部に第一切欠部を設け、前記フィルタ組立体の取付部の外周縁部に環状壁部を設け、この環状壁部に、前記第一切欠部に対応する第二切欠部を設けると共に、前記掃除機本体に、前記第一切欠部に対応する凸部を設けたものである。
【０００８】
また、本発明の請求項２に記載の電気掃除機は、請求項１において、前記第二切欠部の幅寸法と前記凸部の幅寸法とをほぼ等しく形成したものである。
【０００９】
更に、本発明の請求項３に記載の電気掃除機は、請求項１又は２において、前記凸部の幅方向端部に、前記第二切欠部の案内部を設けたものである。
【発明の効果】
【００１０】
本発明の請求項１に記載の電気掃除機は、以上のように構成することにより、前記集塵容器に前記フィルタ組立体を正しく取り付けると、前記集塵容器の第一切欠部と前記フィルタ組立体の第二切欠部とが位置合わせされ、この状態で前記集塵容器を前記掃除機本体に組み込むと、この掃除機本体の凸部に前記第一切欠部が係合する。一方、前記第一切欠部と第二切欠部とがずれた状態で前記集塵容器を前記掃除機本体に組み込もうとしても、前記掃除機本体の凸部に第一切欠部が係合しないことで、前記集塵容器を前記掃除機本体に組み込むことができないため、前記集塵容器とフィルタ組立体が正しく結合されていないことが分かる。
【００１１】
また、前記第二切欠部の幅寸法と前記凸部の幅寸法とをほぼ等しく形成したことで、フィルタ組立体を掃除機本体の正しい位置に配置することができる。
【００１２】
更に、前記凸部の幅方向端部に、前記第二切欠部の案内部を設けたことで、前記第一切欠部と第二切欠部とが多少ずれていても、前記掃除機本体に前記集塵容器を組み込む際、前記凸部の案内部によって前記第二切欠部が案内されることで、前記フィルタ組立体が回転して、前記集塵容器に対し正しい位置に合わされる。これによって、前記集塵容器が前記掃除機本体に組み込むことができるようになる。
【図面の簡単な説明】
【００１３】
【図１】本発明の実施例１を示す電気掃除機の集塵容器及びフィルタ組立体の分解斜視図である。
【図２】同上、全体断面図である。
【図３】同上、全体斜視図である。
【図４】同上、フィルタ組立体の一部断面図である。
【図５】同上、フィルタ組立体の背面図である。
【図６】同上、図５のＡ−Ａ線断面図である。
【図７】同上、集塵容器の要部の斜視図であり、バヨネットの溝入口にバヨネット用突起を合わせた状態を示す。
【図８】同上、集塵容器の要部の斜視図であり、第一切欠部に第二切欠き部を合わせた状態を示す。
【図９】同上、集塵容器の要部の斜視図であり、中央と左の突条部周りを図示している。
【図１０】同上、集塵容器の要部の側面図であり、右突条部周りを図示している。
【図１１】同上、図１０のＢ−Ｂ線拡大断面図である。
【図１２】同上、掃除機本体の装着部の斜視図である。
【図１３】同上、凸部と第一及び第二切欠部の係合を説明する説明図であり、図１３（Ａ）は係合前、図１３（Ｂ）は係合後を示す。
【発明を実施するための最良の形態】
【００１４】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１５】
図１〜図１３は実施例１を示す。１はサイクロン式電気掃除機である。この電気掃除機１は、掃除機本体２と、この掃除機本体２の前部に着脱自在に取り付けられる集塵容器３と、この集塵容器３に着脱可能に取り付けられるフィルタ組立体４とを備える。なお、前記フィルタ組立体４は、前記集塵容器３に対しバヨネット結合によって取り付けられている。
【００１６】
前記掃除機本体２は、電動送風機５が内蔵されたケース６と、把持部７と、電源コード８とを有して構成されている。また、前記把持部７には、前記集塵容器３を着脱するための操作部９及びスイッチ操作部１０が設けられている。そして、このスイッチ操作部１０を操作することにより、前記電動送風機５が駆動する。
【００１７】
前記集塵容器３は、一端（後端）が開放し、他端（前端）が閉塞した有底筒状に形成され、略円筒形の周壁部１１と、この周壁部１１の前側を閉塞する前面部１２とを一体に備えている。なお、これらの周壁部１１及び前面部１２は、比較的硬質で透光性を有する合成樹脂により一体成型される。また、前記前面部１２には、不透光性の飾り板１３が取り付けられている。
【００１８】
前記周壁部１１の後側には、気流を前記周壁部１１の周方向に導入する導入部１４を連通形成し、この導入部１４に、吸引経路が内部に設けられた接続筒部１５を接続すると共に、この接続筒部１５を前記周壁部１１の外周に固定している。また、前記接続筒部１５の前側部１５Ａは前後方向に向くと共に、前記接続筒部１５の後側部１５Ｂは前記集塵容器３の周方向に向いている。そして、前記接続筒部１５の前端には、ノズル１６が着脱可能に設けられる。
【００１９】
前記フィルタ組立体４は、筒状体２１と、内フィルタ体２２とを備える。前記筒状体２１は、一端が開放し、他端が閉塞した有底円筒状に形成され、略円筒形の周壁部２３と、この周壁部２３の前側を閉塞する前面部２４と、前記周壁部２３の前側に設けた返し部２５とを一体に備えている。なお、これらの周壁部２３、前面部２４及び返し部２５は、比較的硬質の合成樹脂により一体成型される。そして、前記筒状体２１の周壁部２３及び前記集塵容器３の周壁部１１は、前側に向かって径がやや縮小するように形成されている。また、前記筒状体２１の周壁部２３には、一次フィルタとして作用する多数の小孔２３Ｈが複数穿設されている。
【００２０】
更に、前記返し部２５は、前記周壁部２３から連続して徐々に径が大きくなる拡径部２５Ａと、この拡径部２５Ａから連続して形成された短円筒部２５Ｂとで構成されている。そして、前記集塵容器３内において、この集塵容器３に前記フィルタ組立体４を取り付けた際に、前記返し部２５の短円筒部２５Ｂの先端（前端）が位置する場所から前記集塵容器３の前面部１２までの空間が、塵埃貯溜部２６となる。
【００２１】
また、前記周壁部２３には、その開口縁部２７を拡大する拡大段部２８を設け、この拡大段部２８の前側より後側が一段大きくなるように形成されている。そして、前記開口縁部２７の内面には、円周方向に等間隔で複数のバヨネット用突起２９が設けられている。なお、この例では、４つのバヨネット用突起２９が設けられている。
【００２２】
前記内フィルタ体２２は、不織布等からなる筒状のフィルタ本体３１と、このフィルタ本体３１の前部開口を閉塞する蓋部３２と、前記フィルタ本体３１の後部に一体に設けたリング状の取付部３３とを備えている。なお、前記フィルタ本体３１は谷部と山部を交互に形成した蛇腹状をなし、前記蓋部３２と取付部３３は比較的硬質な合成樹脂からなる。
【００２３】
前記取付部３３は、鍔部３４の前側に、比較的短い前外筒部３５Ｓと前内筒部３５Ｕとを突設し、これら前外筒部３５Ｓと前内筒部３５Ｕとの間に、前記フィルタ本体３１の後部を接着等により固着している。なお、前記前外筒部３５Ｓと前内筒部３５Ｕは、それぞれ前記鍔部３４と同軸状に設けられている。そして、前記前内筒部３５Ｕ内には、後述する吸込筒部６４と接続する接続孔３６が設けられている。
【００２４】
前記前外筒部３５Ｓの外周には、前記バヨネット用突起２９に対応して、バヨネット用溝３７が設けられている。このバヨネット用溝３７は、前記前外筒部３５Ｓの前縁で開口する溝入口３７Ａと、この溝入口３７Ａに連通し前記前外筒部３５Ｓの外周に沿って円周方向に延設される係止溝部３７Ｂを有する。
【００２５】
そして、前記フィルタ本体３１に前記筒状体２１を被せるようにして、前記バヨネット用突起２９を前記溝入口３７Ａに挿入し、前記筒状体２１を前記係止溝部３７Ｂの延設方向に回すことにより、前記係止溝部３７Ｂに前記バヨネット用突起２９が係止する。これによって、前記筒状体２１に前記内フィルタ体２２が結合される。
【００２６】
なお、前記筒状体２１は、前側から見て、前記内フィルタ体２２に対し時計回り方向に回動させることで固定され、反時計回り方向に回動させることで取り外し可能となる。このように、バヨネット結合とは、いわゆる「抜き挿し」と「ひねり」を組み合わせて、前記筒状体２１と前記内フィルタ体２２の結合・分離を行うことができる結合構造である。
【００２７】
また、前記鍔部３４には、後側に短い後外筒部４１Ｓと後内筒部４１Ｕが突設されている。前記後外筒部４１Ｓは、前記鍔部３４の外周縁部に設けた環状壁部である。また、前記後内筒部４１Ｕは、前記前内筒部３５Ｕより大径である。そして、前記後外筒部４１Ｓの外面には、円周方向に等間隔で複数のバヨネット用突起４２が設けられている。なお、この例では４つの前記バヨネット用突起４２が設けられている。また、図６に示すように、前記後内筒部４１Ｕと前外筒部３５Ｓは、ほぼ同径である。
【００２８】
前記集塵容器３の周壁部１１における開口縁部３Ａ側の内周には、前記バヨネット用突起４２に対応して、バヨネット用溝４３が設けられている。このバヨネット用溝４３は、前記周壁部１１の開口縁部３Ａで開口する溝入口４３Ａと、この溝入口４３Ａに連通し前記周壁部１１の内周に沿って円周方向に延設される係止溝部４３Ｂとを有する。前記溝入口４３Ａは、係止溝部４３Ｂ側に前後方向の段部１４３を有すると共に、前後方向に対して反係止溝部４３Ｂ側に傾斜した傾斜段部１４３Ｋを有する。この傾斜段部１４３Ｋは、前記溝入口４３Ａが後方に向かって拡大するように傾斜し、前記バヨネット用突起４２を前記溝入口４３Ａの前側に案内する。
【００２９】
なお、前記段部１４３は集塵容器３の軸方向とほぼ平行に形成されている。また、上述したように、前記バヨネット用溝４３は、前記周壁部１１の内周に設けられているが、この周壁部１１が透光性を有する材料からなるから、一部、外側から見た図面でも、前記バヨネット用溝４３等を実線で図示している。
【００３０】
また、複数の前記係止溝部４３Ｂの少なくとも１つには、この係止溝部４３Ｂの先端側に突部４４が設けられている。なお、係止溝部４３Ｂの先端４３Ｓと前記突部４４との間隔は、前記バヨネット用突起４２の周方向の幅に対応している。また、前記周壁部１１の開口縁部３Ａ側の内周には、前記鍔部３４が当接する段部４５が形成されている。なお、前記段部４５は、前記周壁部１１の他部の内面より外周側に位置している。
【００３１】
そして、前記集塵容器３内に前記フィルタ組立体４を挿入し、前記バヨネット用突起４２を前記溝入口４３Ａに挿入すると、前記段部４５に前記鍔部３４が当接し、それ以上挿入することができなくなる。この位置で前記フィルタ組立体４を前記係止溝部４３Ｂの先端４３Ｓ側に回すことにより、前記係止溝部４３Ｂに前記バヨネット用突起４２が係止されて、前記集塵容器３に前記フィルタ組立体４が結合される。この場合、前記フィルタ組立体４を回動させると、前記バヨネット用突起４２が前記突部４４を乗り越える際、前記バヨネット用突起４２側が弾性変形してクリック感が得られるので、前記集塵容器３とフィルタ組立体４の結合を確認することができる。
【００３２】
なお、前記フィルタ組立体４は、前記開口縁部３Ａ側、即ち後側から見て、前記集塵容器３に対し、時計回り方向に回動させることで固定され、反時計回り方向に回動させることで取り外し可能となる。そして、前記バヨネット用突起４２とバヨネット用溝４３とにより、バヨネット結合機構４６を構成している。
【００３３】
前記集塵容器３の周壁部１１の開口縁部３Ａには、前記溝入口４３Ａに近接して、第一切欠部５１が設けられる。この第一切欠部５１は、前後方向の縦縁部５１Ａを周方向両側に有すると共に、両側の縦縁部５１Ａ，５１Ａの底部を連結する横縁部５１Ｂを有する。そして、前記開口縁部３Ａと縦縁部５１Ａとの間には、湾曲状の面取り部５１Ｍを設けている。また、前記後外筒部４１Ｓの開口縁部４１Ｋには、前記第一切欠部５１とほぼ同一形状の第二切欠部５２が設けられている。この第二切欠部５２は、前後方向の縦縁部５２Ａを周方向両側に有すると共に、両側の縦縁部５２Ａ，５２Ａの底部を連結する横縁部５２Ｂを有する。そして、前記開口縁部４１Ｋと縦縁部５２Ａとの間には、湾曲状の面取り部５２Ｍを設けている。
【００３４】
そして、前記バヨネット用突起４２を前記溝入口４３Ａに挿入した位置では、前記第一切欠部５１を前記後外筒部４１Ｓがほぼ塞ぎ、前記バヨネット用突起４２が係止溝部４３Ｂの先端４３Ｓと突部４４との間に係止された位置では、前記第一切欠部５１と第二切欠部５２とが重なり合う。なお、図８に示すように、前記集塵容器３に前記フィルタ組立体４を取り付けた状態で、前記開口縁部３Ａは前記開口縁部４１Ｋより後側に位置する。また、図６等に示すように、前記取付部３３を基準にして、前記後内筒部４１Ｕの開口縁部４１Ｋ´は、前記後外筒部４１Ｓの開口縁部４１Ｋより後側に位置する。
【００３５】
前記後内筒部４１Ｕの開口縁部４１Ｋ´には、前記第二切欠部５２とほぼ同一形状の第三切欠部５３が設けられている。また、前記鍔部３４における前記後内筒部４１Ｕの内側には、当接筒部５４が設けられている。なお、この当接筒部５４は、後述する吸込筒部６４の弾性シール材６５に当接する。
【００３６】
前記取付部３３の外周には、環状の弾性シール部材５５が取り付けられている。このシール部材５５は、前記フィルタ組立体４を前記集塵容器３に挿入した際に、その外周部が前記集塵容器３の周壁部１１の内面に密着するように構成されている。
【００３７】
前記掃除機本体２の前側には、前記集塵容器３を着脱自在に取り付ける装着部６１が設けられている。この装着部６１は、底面部６２と筒状部６３とを備える。前記底面部６２の中央には、前記電動送風機５の吸い込み口である吸込筒部６４が突設され、この吸込筒部６４の上縁にリング状の弾性シール材６５を設けている。そして、前記装着部６１に前記集塵容器３を装着した状態で、前記当接筒部５４が前記弾性シール材６５に当接して前記吸込筒部６４と前記接続孔３６がシール状態で接続される。また、前記吸込筒部６４の外側に前記後内筒部４１Ｕが位置する。なお、前記吸込筒部６４の吸込口には、塵埃用のフィルタ６４Ｆが設けられている。
【００３８】
前記装着部６１の筒状部６３には、前記導入部１４及び前記接続筒部１５を収納する凹部６３Ａが設けられている。また、前記筒状部６３は、外周部６６と、この外周部６６の内面に設けた前後方向の縦リブ部６７Ｔと、外周部６６の内面に設けた周方向の横リブ部６７Ｙとを備えている。前記縦リブ部６７Ｔは、周方向に間隔を置いて複数設けられている。また、前記横リブ部６７Ｙは、前後方向に間隔を置いて複数設けられている。
【００３９】
図１２に示すように、前記筒状部６３の内周には、前記把持部７の位置に中央縦溝部７１を形成すると共に、この中央縦溝部７１の左右には、それぞれ左縦溝部７２Ｌ及び右縦溝部７２Ｒを形成している。これらの溝部７１，７２Ｌ，７２Ｒは、前記掃除機本体２側の位置決め部であって、前後方向に形成されている。一方、前記集塵容器３の周壁部１１の外周には、前記縦溝部７１，７２Ｌ，７２Ｒに前方から挿入される中央突条部７３、左突条部７４Ｌ及び右突条部７４Ｒが設けられている。そして、これら突条部７３，７４Ｌ，７４Ｒが前記集塵容器３側の位置決め部である。
【００４０】
前記中央突条部７３の先端側には、傾斜案内部７３Ａを設けている。この傾斜案内部７３Ａの基端側には、前記中央突条部７３の長さ方向に対し交差する方向で溝状をなす係止受部７３Ｂを設けている。前記中央縦溝部７１には、別体の係止部材７５を配置すると共に、この係止部材７５には、前記係止受部７３Ｂに係脱可能な略鉤形の係止部７５Ｂを一体に有している。この係止部７５Ｂの先端側には、前記傾斜案内部７３Ａが当接する傾斜案内部７５Ａが設けられている。また、前記係止部材７５は、左右方向に移動可能に設けられ、前記係止部７５Ｂが前記係止受部７３Ｂに係止するように、図１２における右方向に、付勢手段（図示せず）により付勢されている。そして、前記操作部９を図１２における左方向に押す操作をすることにより、前記係止部７５Ｂが移動して、前記係止受部７３Ｂから外れ、前記装着部６１から前記集塵容器３を取り外すことができる。
【００４１】
また、前記中央突条部７３は、１つの前記第一切欠部５１と前後方向に並んで位置している。そして、前記底面部６２には、前記掃除機本体２に前記集塵容器３を取り付けた際に、前記第一切欠部５１に対応する前記中央縦溝部７１の後方位置に、凸部８１が設けられている。この凸部８１は、前記装着部６１の外周部６６と前記吸込筒部６４とを連結するように形成されている。また、前記凸部８１は、前記横縁部５１Ｂ，５１Ｂ，５２Ｂ，５２Ｂ内に挿入する両側の側板部８２，８２と、両側の側板部８２，８２を連結する上面部８３とを備えている。また、この上面部８３の上部中央には、凸状の湾曲面部８３Ｗが形成されている。更に、前記凸部８１の幅方向端部には、前記側板部８２，８２と上面部８３の角部に湾曲面からなる案内部８１Ｋが形成されている。この案内部８１Ｋは、前記第二切欠部５２の面取り部５２Ｍに当接可能なものである。
【００４２】
前記凸部８１は、前記底面部６２に膨出形成されており、前記凸部８１を利用して安全弁装置を構成している。具体的には、図２に示すように、前記凸部８１は弁ケース８４の一部を構成している。この弁ケース８４は、その外側の開閉口８５が前記掃除機本体２の外部に連通すると共に、内側に通気孔８６を設けている。また、この通気孔８６は、前記電動送風機５の吸込筒部６４の側面に連通している。そして、前記弁ケース８４内に前記開閉口８５を開閉する弁体８７を設けている。この弁体８７は、付勢手段（図示せず）により、前記開閉口８５に当接してこの開閉口８５を塞ぐ方向に付勢されている。
【００４３】
そして、前記電動送風機５の駆動中に、前記ノズル１６等が詰まって前記吸込筒部６４から外気を吸引できなくなり、前記掃除機本体２のケース６内が所定値以下の負圧になると、前記弁体８７が図２中下方に移動して前記開閉口８５が開き、外気を導入する。このように動作することで、前記電動送風機５に負荷が掛かることを防止できる。なお、前記掃除機本体２のケース６の後部には、排気口８８が設けられている。
【００４４】
次に、前記掃除機１の使用方法につき、前記集塵容器３の着脱方法を中心に説明する。前記フィルタ組立体４を組み立てるには、前記内フィルタ体２２に前記筒状体２１を被せるようにして、前記バヨネット用突起２９を溝入口３７Ａに挿入し、前記筒状体２１を係止溝部３７Ｂの延設方向に回す。これにより、前記係止溝部３７Ｂに前記バヨネット用突起２９が係合して、前記筒状体２１に前記内フィルタ体２２が結合され、前記フィルタ組立体４が組み立てられる。
【００４５】
次に、前記集塵容器３に前記フィルタ組立体４を取り付けるには、前記集塵容器３内に前記フィルタ組立体４を挿入し、前記段部４５に前記鍔部３４が当接するまで前記バヨネット用突起４２を前記溝入口４３Ａに挿入し、前記フィルタ組立体４を前記係止溝部４３Ｂの先端４３Ｓ側に回す。これにより、前記係止溝部４３Ｂに前記バヨネット用突起４２が係合して、前記集塵容器３に前記フィルタ組立体４が結合される。
【００４６】
このように、前記フィルタ組立体４を集塵容器３に正しく取り付け、前記集塵容器３を前記装着部６１に装着する場合は、前記掃除機本体２の縦溝部７１，７２Ｌ，７２Ｒに前記集塵容器３の突条部７３，７４Ｌ，７４Ｒを合わせて前記筒状部６３内に前記集塵容器３を前後方向に沿って挿入する。この際、前記中央縦溝部７１の係止部材７５の傾斜案内部７５Ａに、前記中央突条部７３の傾斜案内部７３Ａが当接し、前記中央突条部７３に押されて係止部材７５が非係止位置に移動し、前記傾斜案内部７３Ａが通過した後、前記係止部７５Ｂが係止受部７３Ｂと係合する。この位置で、前記第一及び第二切欠部５１，５２に前記凸部８１が入る。
【００４７】
一方、前記集塵容器３とフィルタ組立体４とのバヨネット結合が不十分で、前記第一切欠部５１に前記後外筒部４１Ｓが重なり合っている場合は、前記係止部７５Ｂが前記係止受部７３Ｂに係合する前に、前記後外筒部４１Ｓが前記凸部８１に当接する。このため、前記係止受部７３Ｂに前記係止部７５Ｂが係合せず、前記装着部６１に前記集塵容器３を取り付けることができない。これにより、使用者は前記集塵容器３を取り外し、バヨネット結合を確認してから再度前記集塵容器３を取り付けることとになる。即ち、前記集塵容器３とフィルタ組立体４とを不完全な組み立て状態で、前記掃除機本体２に取り付けることを防止できる。
【００４８】
また、図１３（Ａ）に示すように、前記第一切欠部５１に前記後外筒部４１Ｓが部分的に重なり合っている場合、前記後外筒部４１Ｓの面取り部５２Ｍが、前記凸部８１の案内部８１Ｋに当接すると、前記集塵容器３を押し込む力により、前記フィルタ組立体４が回転し、前記第一及び第二切欠部５１，５２が位置合わせされる。これによって、前記装着部６１に前記集塵容器３を組み込むことができる。
【００４９】
更に、万一、前記フィルタ組立体４を組み込まずに前記集塵容器３のみを前記装着部６１に装着した場合、前記集塵容器３の開口縁部３Ａに第一切欠部５１を設けたから、前記筒状部６３の内側と前記集塵容器３の外周との間の隙間を通って、前記第一切欠部５１，５１から前記集塵容器３内に空気が入り込む。このため、前記ノズル１６から塵埃を含む気流を吸い込まず、塵埃を再び外気に撒き散らしたり、前記電動送風機５の効率を低下させたりすることがない。
【００５０】
そして、前記装着部６１に前記集塵容器３を正しく装着した状態で、前記スイッチ操作部１０を操作して前記電動送風機５を駆動すると、前記ノズル１６から吸引された塵埃を含む空気が、前記集塵容器３の周方向に接続した接続筒部１５から前記集塵容器３に流れ込み、この集塵容器３内で渦流が形成され、この渦流に含まれる粗い塵埃が遠心分離され、前記周壁部１１と返し部２５との間から前記塵埃貯溜部２６に移動すると共に、砂等の粗くて重い塵埃が分離された気流は、前記小孔２３Ｈから前記筒状体２１内に流入する。なお、気流が前記返し部２５を乗り越える際に、この気流に含まれる塵埃の多くは、前記返し部２５によって下方に返されることになる。そして、気流に含まれる軽い塵埃は、前記筒状体２１内に流入する際に、一次フィルタとして作用する前記小孔２３Ｈ、或いは前記フィルタ本体３１によって捕捉される。このようにして、前記フィルタ本体３１によって細かい塵埃が分離された清浄な気流は、前記フィルタ６４Ｆを設けた吸込筒部６４を通過して、前記電動送風機５に至る。なお、前記吸込筒部６４から前記ケース６に吸い込まれた空気は、後部の前記排気口８８から排出される。
【００５１】
このように本実施例では、請求項１に対応して、掃除機本体２と、この掃除機本体２に対し着脱可能に取り付けられる集塵容器３と、この集塵容器３に対しバヨネット式に着脱されるフィルタ組立体４とを有する電気掃除機１において、前記集塵容器３の開口縁部３Ａに第一切欠部５１を設け、前記フィルタ組立体４の取付部３３の外周縁部に環状壁部たる後外筒部４１Ｓを設け、この後外筒部４１Ｓに、前記第一切欠部５１に対応する第二切欠部５２を設けると共に、前記掃除機本体２に、第一切欠部５１に対応する凸部８１を設けたから、前記集塵容器３に前記フィルタ組立体４を正しく取り付けると、前記集塵容器３の第一切欠部５１と前記フィルタ組立体４の第二切欠部５２とが位置合わせされ、この状態で前記集塵容器３を前記掃除機本体２に組み込むと、この掃除機本体２の凸部８１に第一切欠部５１が係合する。一方、前記第一切欠部５１と第二切欠部５２とがずれた状態で前記集塵容器３を前記掃除機本体２に組み込もうとしても、この掃除機本体２の凸部８１に前記第一切欠部５１が係合しないことで、前記集塵容器３を前記掃除機本体２に組み込むことができないため、前記集塵容器３と前記フィルタ組立体４が正しく結合されていないことが分かる。
【００５２】
また、このように本実施例では、請求項２に対応して、前記第二切欠部５２の幅寸法Ｗと前記凸部８１の幅寸法ＷＴとをほぼ等しく形成したから、前記フィルタ組立体４を前記掃除機本体２の正しい位置に配置することができる。
【００５３】
なお、前記第二切欠部５２の幅寸法Ｗと前記凸部８１の幅寸法ＷＴとがほぼ等しいとは、前記第二切欠部５２の幅寸法Ｗが前記凸部の幅寸法ＷＴの１倍以上〜１．３倍以内程度であることを示す。
【００５４】
更に、このように本実施例では、請求項３に対応して、前記凸部８１の幅方向端部に、前記第二切欠部５２の案内部８１Ｋ，８１Ｋを設けたから、前記第一切欠部５１と第二切欠部５２とが多少ずれていても、前記掃除機本体２に前記集塵容器３を組み込む際、前記凸部８１の案内部８１Ｋに前記第二切欠部５２が案内されることで、前記フィルタ組立体４が回転して、前記集塵容器３に対し正しい位置に合わされる。これによって、前記集塵容器３が前記掃除機本体２に組み込むことができるようになる。
【００５５】
また、実施例上の効果として、前記溝入口４３Ａは、前記係止溝部４３Ｂ側に前後方向の段部１４３を有すると共に、反係止溝部４３Ｂ側に傾斜した傾斜段部１４３Ｋを有している。また、この傾斜段部１４３Ｋは、前記溝入口４３Ａが後方に向かって拡大するように傾斜している。これによって、前記バヨネット用突起４２は、前記溝入口４３Ａに入れやすくされると共に、前記係止溝部４３Ｂ側に案内される。また、複数の前記係止溝部４３Ｂの少なくとも１つには、この係止溝部４３Ｂの先端側に前記突部４４が設けられているから、この突部４４を前記バヨネット用突起４２が乗り越えることにより、このバヨネット用突起４２を正しい位置に位置決めできる。更に、前記筒状部６３の内周には、前記把持部７に対応する位置に前記中央縦溝部７１を形成すると共に、この中央縦溝部７１の左右に前記左右縦溝部７２Ｌ，７２Ｒを形成し、これら縦溝部７１，７２Ｌ，７２Ｒに対し前後方向に挿脱される前記中央突条部７３及び前記左突条部７４Ｌ，右突条部７４Ｒが前記周壁部１１の外周に設けられ、これら左右突条部７４Ｌ，７４Ｒが先端側（後側）に向かって幅狭になるように形成されているから、複数の前記縦溝部７１，７２Ｌ，７２Ｒと突条部７３，７４Ｌ，７４Ｒの係合により、前記装着部６１に簡便且つ正しく前記集塵容器３を着脱することができる。
【００５６】
なお、本発明は以上の実施例に限定されるものではなく、発明の要旨の範囲内で種々の変形実施が可能である。例えば、上記実施例では、４つのバヨネット結合機構４６を備えたものを示したが、バヨネット結合機構４６の数は１つ以上であればよい。また、案内部を湾曲面により構成したが、側板部８２を斜めに形成して案内部を構成してもよい。
【符号の説明】
【００５７】
１  掃除機
２  掃除機本体
３  集塵容器
４  フィルタ組立体
３３  取付部
４１Ｓ  後外筒部（環状壁部）
４２  バヨネット用突起
４３  バヨネット用溝
４６  バヨネット結合機構
５１  第一切欠部
５２  第二切欠部
８１  凸部
８１Ｋ  案内部
【図１】
2014068749.tif 000003
【図２】
2014068749.tif 000004
【図３】
2014068749.tif 000005
【図４】
2014068749.tif 000006
【図５】
2014068749.tif 000007
【図６】
2014068749.tif 000008
【図７】
2014068749.tif 000009
【図８】
2014068749.tif 000010
【図９】
2014068749.tif 000011
【図１０】
2014068749.tif 000012
【図１１】
2014068749.tif 000013
【図１２】
2014068749.tif 000014
【図１３】
2014068749.tif 000015